(57)【要約】【課題】  従来技術における動作確認の検出部としては、ソレノイドケースの外部に検出部を設ける空間が不足することがある。また、バルブソレノイド等で、動作点が水中や、油中にある場合は、検出部の設置が困難である。  すなわち、検出部の設置が不能の場合、電気制御回路により制御されるバルブ駆動システムでは、ゴミ，錆び付き、あるいはコイル断線等による動作不良が発生した場合等、検出が不可能である。【解決手段】  コイル３に通電した際に発生する磁気により可動鉄心７が吸引されるソレノイドにおいて、可動鉄心７に設けた永久磁石２の磁気を利用し、可動鉄心７の動作確認をするためのセンサを、ケース１内に備えた動作確認ができるソレノイド及び前記ソレノイドを備えた電磁バルブ。【選択図】図１
2006162013.tif 000002
【特許請求の範囲】
【請求項１】
コイルに通電した際に発生する磁気により可動鉄心が吸引されるソレノイドにおいて、可動鉄心に設けた永久磁石の磁気を利用し、可動鉄心の動作確認をするためのセンサを、ケース内に備えたことを特徴とする動作確認ができるソレノイド。
【請求項２】
請求項１に記載の動作確認ができるソレノイドを備えたことを特徴とする電磁バルブ。
【発明の詳細な説明】
【技術分野】
【０００１】
本発明は、ソレノイドを使用し、その動作を確認できるようにした装置に関するものである。
【背景技術】
【０００２】
従来のソレノイドでの動作確認は、ソレノイドの可動鉄心に結合された外部機構を駆動し、その動作確認としては、ソレノイドの負荷の動きを検出する技術や、可動鉄心が固定極に接し、保持している際には、ポールピース、可動鉄心、固定極、ケースによって磁気回路を形成して自己保持する自己保持型ソレノイドにおいて、保持用の永久磁石の磁気を利用し、可動鉄心の動作確認をするセンサを、可動鉄心を覆うように設けたコイルとケースとの隙間に設けた動作確認ができる自己保持型ソレノイド（例えば、特許文献１参照）が存在している。
【特許文献１】特許公開２００３−１７２４７４号公報（特許請求の範囲の欄、実施例の欄における段落｛０００９｝〜｛００１０｝及び図１〜図４を参照）
【発明の開示】
【発明が解決しようとする課題】
【０００３】
しかしながら、従来技術における動作確認の検出部としては、ソレノイドケースの外部に検出部を設ける空間が不足することがある。また、バルブソレノイド等で、動作点が水中や、油中にある場合は、検出部の設置が困難である。
すなわち、検出部の設置が不能の場合、電気制御回路により制御されるバルブ駆動システムでは、ゴミ，錆び付き、あるいはコイル断線等による動作不良が発生した場合等、検出が不可能である。
また、特許文献１に示された従来技術では、コイルが発生する磁束によりセンサが反応することから、コイル通電中は可動鉄心の位置確認ができない技術であるが、コイル無通電時でも可動鉄心の位置が保持される自己保持型ソレノイド専用の技術であるので問題ない。
しかし、自己保持機能を持たない通常のソレノイドは、無通電時バネなどの補助手段で機構部原点に復帰してしまうため、通電中に可動鉄心の位置確認を行う必要があり、従来技術は使用できない。
本発明は、これらの事情に鑑み、可動鉄心に設けた永久磁石の磁気を利用し、安定した可動鉄心の動作確認をするためのセンサを備えた動作確認ができるソレノイド、及び動作確認ができるソレノイドを備えた電磁バルブを提供することを目的とするものである。
【課題を解決するための手段】
【０００４】
上記課題を解決するための本発明の第１発明は、請求項１に記載された通りの動作確認付ソレノイドであり、次のようなものである。
コイルに通電した際に発生する磁気により可動鉄心が吸引されるソレノイドにおいて、可動鉄心に設けた永久磁石の磁気を利用し、可動鉄心の動作確認をするためのセンサを、ケース内に備える構成である。
【０００５】
上記課題を解決するための本発明の第２発明は、請求項２に記載された通りの動作確認付ソレノイドを備えた電磁バルブであり、次のようなものである。
電磁バルブに請求項１に記載の動作確認ができるソレノイドを備える構成である。
【発明の効果】
【０００６】
本発明に係る動作確認付ソレノイドは、上記説明のような構成であるので、以下に記載する効果を奏する。
（１）ソレノイド単体で、その可動鉄心の動作確認をすることができる。
（２）ソレノイド単体で動作確認を可能にしたことで、本発明のソレノイドを使用した各種機器における動作確認の信頼性が上がる。
【発明を実施するための最良の形態】
【０００７】
コイルに通電した際に発生する磁気により可動鉄心が吸引されるソレノイドにおいて、可動鉄心に設けた永久磁石の磁気を利用し、可動鉄心の動作確認をするためのセンサを、ケース内の上板と中板の間隙に備えた動作確認ができるソレノイド及び前記ソレノイドを備えた電磁バルブ。
【実施例】
【０００８】
以下、本発明の一実施例を添付図面で詳細に説明する。
図１〜図４に基づいて第１実施例を説明する。
１は磁性材料のソレノイドのケースで、ケース１の上部に非磁性材料の上板４を設け、可動鉄心７が摺動するパイプ９を囲むようにコイル３を設け、このコイル３をケース１とで挟み込むように磁性材料の中板５を設け、リードスイッチ６を上板４と中板５の間隙に設置する（図１、図４を参照）。さらに可動鉄心７には、自己保持力の発生を防ぐために、非磁性材料のスペーサ８を挟んで永久磁石２を設けた構成を有する。
このスペーサ８を設けない場合であっても、可動鉄心７の動作確認は可能であるが、自己保持力が発生するため、固定鉄心７を制御する際に力の損失が起こる。
【０００９】
次に、作用について説明する。
図２、図３に示したものは、本発明の磁気回路を示したもので、先ず、図３のごとく可動鉄心７が励磁静止位置にある状態では、コイル３が通電されている場合にコイル３で発生する磁束の磁気回路は、可動鉄心７からケース１を通り、中板５に回る事で構成される。また、この際の永久磁石２で発生している磁気の磁気回路は、永久磁石２から中板５を通り、上板４が非磁性体であることから、磁極がケース１と永久磁石２の相対する両端に形成される。ケース１と永久磁石２間の空間により磁気は周囲に漏れ（図３中で点線で示す）、リードスイッチ６を作動させる。この際に、リードスイッチ６の磁性体であるリード線がケース１と永久磁石２のきわにあることで磁束はリードスイッチ６の中を通りやすくなり、より効率的に作動させることができる（図４参照）。
【００１０】
次に、図２のごとく、可動鉄心７が励磁静止位置に無い状態では、永久磁石２で発生している磁気の磁気回路は、可動鉄心７からケース１及び中板５を通り、永久磁石２に回る事で構成される。またこの状態で、コイル３が通電されている場合においても、コイル３で発生する磁束も同じ磁気回路を構成する。従って、この状態では磁気は周囲に漏れずリードスイッチ６は作動しない。このリードスイッチ６の変化で、コイル３の通電の有無に関わらず可動鉄心７の動作確認をするものである。尚、リードスイッチ６は、ホール素子等の磁気センサに変更が可能である。
【００１１】
次に、図５に基づいて第２実施例を説明する。
図１に示した第１実施例と略同一な部分として、１はソレノイドのケースで、永久磁石２、コイル３、中板５、リードスイッチ６、可動鉄心７を内蔵している。但し、相違している部分は可動鉄心７が摺動するパイプ９は、中板５までとし、非磁性材料の上板を取り除いたものである。
【００１２】
次に第２実施例の作用について説明する。
動作作用は、第１実施例と同じであるが、磁気回路に影響しない第１実施例中の上板４を省略した物で同様の機能を有する。
【００１３】
次に、図６に基づいて第３実施例として電磁バルブに応用した例を詳細に説明する。
図１に示した第１実施例と略同一な部分として、１はソレノイドのケースで、永久磁石２、コイル３、非磁性材料の上板４、中板５、リードスイッチ６、可動鉄心７を内蔵している。可動鉄心７が摺動するパイプ９は、上部で流体が漏れないように密閉されている。さらにこれに加えるものとして、可動鉄心７の上方にバネ１４を配置し、可動鉄心７には、ゴム１３が装着されている。また、ケース１にはバルブヘッド１０が取り付けられている。バルブヘッド１０には、吸入口１１と排出口１２が構成されている。
【００１４】
ここで、第３実施例の電磁バルブの作用を説明する。
まず、可動鉄心７の先端にあるゴム１３で排出口１２を塞ぐことで流体は流れない。コイル３に電流を流すことで可動鉄心７は上方に移動する。可動鉄心７が移動することで、バルブヘッド１０内部に流体が流れる通路ができ、吸入口１１から排出口１２へ流体が流れる（図７を参照）。この際、可動鉄心７の動作を確認することができる。
【産業上の利用可能性】
【００１５】
ソレノイドを利用する各種機器において、動作確認が必要なものには種々利用することができる。
【図面の簡単な説明】
【００１６】
【図１】本発明の第１実施例に関する動作確認ができるソレノイドを示す左半分を断面にした正面図である。
【図２】本発明の第１実施例に関する作用説明の正面断面図である。
【図３】本発明の第１実施例に関する作用説明の正面断面図である。
【図４】本発明の第１実施例に関する作用説明の平面断面図である。
【図５】本発明の第２実施例に関する動作確認ができるソレノイドを示す左半分を断面にした正面図である。
【図６】本発明の第３実施例に関する動作確認ができるソレノイドを備えた電磁バルブの正面断面図である。
【図７】本発明の第３実施例に関する作用説明の正面断面図である。
【符号の説明】
【００１７】
１・・・・ケース                        ２・・・・永久磁石
３・・・・コイル                        ４・・・・上板
５・・・・中板                          ６・・・・リードスイッチ
７・・・・可動鉄心                      ８・・・・スペーサ
９・・・・パイプ                      １０・・・・バルブヘッド
１１・・・・吸入口                      １２・・・・排出口
１３・・・・ゴム                        １４・・・・バネ
【図１】
2006162013.tif 000003
【図２】
2006162013.tif 000004
【図３】
2006162013.tif 000005
【図４】
2006162013.tif 000006
【図５】
2006162013.tif 000007
【図６】
2006162013.tif 000008
【図７】
2006162013.tif 000009